(57)【特許請求の範囲】
【請求項１】
商品登録機能，会計処理機能などを含む商品販売データ処理機能を実行可能でかつこの商品販売データ処理機能の実行に伴う取引金額に応じたサービスポイントを付与可能に形成された商品販売データ処理装置において、
商品販売データ処理機能の実行に伴う取引金額に応じてサービスポイントを付与するか駐車可能時間を付与するか選択可能に形成され、
サービスポイントが選択された場合には商品販売データ処理機能の実行に伴う取引金額に応じて付与された今回サービスポイントとリライトカードから読取った前回サービスポイントとを加算して最新サービスポイントを算出し、リライトカードに記憶されている前回サービスポイントを算出された最新サービスポイントに書換え記憶し、駐車可能時間が選択された場合には商品販売データ処理機能の実行に伴う取引金額に応じて付与された今回サービスポイントをこれに応じた今回駐車可能時間に換算し、この換算された今回駐車可能時間とリライトカードから読取った前回駐車可能時間とを加算して最新駐車可能時間を算出し当該リライトカードに記憶されている前回駐車可能時間をこの最新駐車可能時間に書換え記憶するように形成され、前記リライトカードは、これに記憶される最新駐車可能時間を目視可能に形成されている商品販売データ処理装置。
【請求項２】
前記リライトカードを利用したサービスポイントに対する特典の給付処理を実行した場合に、前記リライトカードから読取った前回サービスポイントから特典給付のために使用したサービスポイントを減算して残りの最新サービスポイントを算出可能かつ前記リライトカードに記憶されている前回サービスポイントを算出された残りの最新サービスポイントに書換え記憶可能に形成され、
算出された残りの最新サービスポイントをこれに応じた残りの最新駐車可能時間に換算可能かつ当該リライトカードに記憶されている前回駐車可能時間を換算された残りの最新駐車可能時間に書換え記憶可能に形成されている請求項１記載の商品販売データ処理装置。
【発明の詳細な説明】
【０００１】
【発明の属する技術分野】
本発明は、商品販売データ処理機能を実行可能な商品販売データ処理装置に関する。
【０００２】
【従来の技術】
商品登録機能，会計処理機能などを含む商品販売データ処理機能を実行可能な商品販売データ処理装置（例えば、電子キャッシュレジスタ）が知られている。
【０００３】
かかる商品販売データ処理装置では、店員がスキャナを用いて入力した商品コードに対応する商品データ（商品名，単価）を取得して、売上ファイルに記憶（商品登録）する。１取引終了宣言としての締め操作をすると、合計金額の算出等を含む会計処理が行われる。
【０００４】
この会計処理には、商品データ，釣り銭の算出，合計金額，釣り銭等を含む取引データの表示器への表示、プリンタによるレシートへの印刷、ドロワの自動開放が含まれる。かくして、店員は、釣り銭とレシートとを客に手渡し、現金をドロワ内に収納して、チェックアウトが終了する。
【０００５】
また、ポイント付与機能を有する商品販売データ処理装置では、取引金額（例えば、上記の合計金額）に対応するサービスポイントを付与する。このサービスポイントは、客の会員カードに加算記憶される。客は、サービスポイントが貯まったところで、サービスポイントに対する特典（例えば、景品の提供や割引サービス）の給付を受けることができる。
【０００６】
また、かかる商品販売データ処理装置を配設した店舗等では、自営，契約等の運営態様は別として駐車場を備えている場合が多い。駐車場には、駐車時間管理装置が設けられている。
【０００７】
この駐車時間管理装置は、入場時に取得した入場時刻を記憶して管理可能かつ記憶管理されている入場時刻から同車の退場時に取得した退場時刻までの今回駐車時間を算出可能であるとともに、算出された今回駐車時間に対して精算可能に形成されている。
【０００８】
一般的には、駐車場において、店舗において発行されたレシートを提示することによりそこに印字されている取引金額（合計金額など）に対応する駐車時間だけ無料取扱い（精算）が成される。不足分は、現金払いなどにより、最終的に精算される。
【０００９】
【発明が解決しようとする課題】
しかし、駐車場において、レシートに印字されている取引金額（合計金額など）をチェックしつつ実際の駐車時間に対して無料取扱い（精算）ができるか否かの判断を含む管理作業には、多くの手間と時間が掛かる。客の待ち時間も長くなる。
【００１０】
客の中には、サービスポイント付与機能を有する商品販売データ処理装置を設置した店舗においても、サービスポイントに対する特典の給付を受けるよりも、駐車の無料化を希望するも客も多い。一方、店舗にとってもサービスポイントの他に新たな客サービスの開発が求められている。
【００１１】
さらに、店舗等の業績向上と客サービスの向上とを図るには、商品販売データ処理装置を配設した店舗と駐車時間管理装置を配設した駐車場との一体的で密な連携が必要であるとの指摘もある。
【００１２】
本発明の目的は、店舗で取引ごとに駐車可能時間をリライトカードに記憶させて付与することができる商品販売データ処理装置を提供することにある。
【００１３】
【課題を解決するための手段】
請求項１の発明は、商品登録機能，会計処理機能などを含む商品販売データ処理機能を実行可能でかつこの商品販売データ処理機能の実行に伴う取引金額に応じたサービスポイントを付与可能に形成された商品販売データ処理装置において、商品販売データ処理機能の実行に伴う取引金額に応じてサービスポイントを付与するか駐車可能時間を付与するか選択可能に形成され、サービスポイントが選択された場合には商品販売データ処理機能の実行に伴う取引金額に応じて付与された今回サービスポイントとリライトカードから読取った前回サービスポイントとを加算して最新サービスポイントを算出し、リライトカードに記憶されている前回サービスポイントを算出された最新サービスポイントに書換え記憶し、駐車可能時間が選択された場合には商品販売データ処理機能の実行に伴う取引金額に応じて付与された今回サービスポイントをこれに応じた今回駐車可能時間に換算し、この換算された今回駐車可能時間とリライトカードから読取った前回駐車可能時間とを加算して最新駐車可能時間を算出し当該リライトカードに記憶されている前回駐車可能時間をこの最新駐車可能時間に書換え記憶するように形成され、前記リライトカードは、これに記憶される最新駐車可能時間を目視可能に形成されている商品販売データ処理装置である。
【００１４】
かかる発明では、商品登録機能，会計処理機能などを含む商品登録商品販売データ処理機能を実行すると、取引金額（例えば、５０００円）に応じた今回に付与可能な今回サービスポイント（例えば、５０ポイント）が算出される。ここで、客はサービスポイントおよび駐車可能時間のいずれを受けるかについて選択をする。
【００１５】
サービスポイントを選択した場合には、リライトカードからこれに記憶されている前回サービスポイント（例えば、３００ポイント）が読取られ、算出された今回サービスポイント（５０ポイント）とリライトカードから読取られた前回サービスポイント（３００ポイント）とを加算して最新サービスポイント（３５０ポイント）が算出される。そして、リライトカードに記憶されている前回サービスポイント（３００ポイント）を、算出された最新サービスポイント（３５０ポイント）に書換え記憶する。この場合における駐車可能時間は、元（例えば、６時間）のままである。
【００１６】
一方、駐車可能時間を選択した場合には、今回サービスポイント（５０ポイント）がこれに応じた今回駐車可能時間（例えば、１時間）に換算されかつこの換算された今回駐車可能時間（１時間）とリライトカードから読取った前回駐車可能時間（例えば、６時間）とを加算して最新駐車可能時間（７時間）が算出される。そして、リライトカードに記憶されている前回駐車可能時間（６時間）を算出された最新駐車可能時間（７時間）に書換え記憶する。この場合におけるサービスポイントは、元（例えば、３００ポイント）のままである。
【００１７】
すなわち、客は、今回取引に際して付与可能な今回サービスポイントを当該今回サービスポイントのまま、または当該今回サービスポイントを換算した今回駐車可能時間として選択（二者択一）できるとともに、今回駐車可能時間を選択すれば、前回駐車可能時間に算出された今回駐車可能時間を加算した最新駐車可能時間をリライトカードに書換え記憶できかつ目視確認することができる。
【００１８】
したがって、買い物の度にリライトカードに今回選択付与された駐車可能時間（または、サービスポント）がそれまでの駐車可能時間（または、サービスポイント）に加算記憶されかつ最新の駐車可能時間（および、サービスポイント）を目視確認することができるから、客の利便性を一段と向上できる。
【００１９】
また、駐車可能時間が取引ごとにリライトカードに加算記憶されるので、細切れ的に何回もの駐車に利用でき得る。このことは、店舗が契約駐車場からの余分な請求を受けないですむことにもなる。
【００２０】
さらに、店舗側にとってもサービス過剰（駐車可能時間およびサービスポイントの重複付与）を回避することができるとともに、駐車可能時間およびサービスポイントの双方を別々に算出する必要もないのでデータ処理が楽になる。
【００２１】
しかも、駐車場の駐車時間管理装置をリライトカードに記憶された前回駐車可能時間から実際の駐車料金相当駐車時間を差引くように構築しておけば、買い物客はリライトカードだけを所持するだけで駐車時間を自己管理しつつ駐車場を利用でき得る。
【００２２】
また、請求項２の発明は、前記リライトカードを利用したサービスポイントに対する特典の給付処理を実行した場合に、前記リライトカードから読取った前回サービスポイントから特典給付のために使用したサービスポイントを減算して残りの最新サービスポイントを算出可能かつ前記リライトカードに記憶されている前回サービスポイントを算出された残りの最新サービスポイントに書換え記憶可能に形成され、算出された残りの最新サービスポイントをこれに応じた残りの最新駐車可能時間に換算可能かつ当該リライトカードに記憶されている前回駐車可能時間を換算された残りの最新駐車可能時間に書換え記憶可能に形成された商品販売データ処理装置である。
【００２３】
かかる発明では、リライトカードを利用してサービスポイントに対する特典（例えば、景品や値引き）の給付処理の実行が成されると、リライトカードから読取った前回サービスポイント（例えば、３００ポイント）から特典給付のために使用したサービスポイント（例えば、２５０ポイント）を減算して残りの最新サービスポイント（５０ポイント）が算出される。
【００２４】
そして、リライトカードに記憶されている前回サービスポイント（３００ポイント）が算出された残りの最新サービスポイント（５０ポイント）に書換えられて記憶される。つまり、サービスポイントの今回使用の結果を反映してリライトカードに記憶されているサービスポイントの更新が行われる。
【００２５】
引続き、算出された残りの最新サービスポイント（５０ポイント）をこれに応じた残りの最新駐車可能時間（例えば、１時間）に換算するとともに、リライトカードに記憶されている前回駐車可能時間（６時間）を換算された残りの最新駐車可能時間（１時間）に書換え記憶する。
【００２６】
したがって、請求項１の発明の場合と同様な作用効果を奏することができることに加え、さらにサービスポイントを使用するとこれを反映した残りの最新サービスポイントと最新駐車可能時間との整合性を維持できるから、客および店舗係員双方の手間が省けかつ信頼性が一段と高まる。
【００２７】
【発明の実施の形態】
以下、本発明の実施形態について図面を参照して説明する。
【００２８】
（第１の参考例）
本商品販売データ処理装置（１０）は、図１，図３および図５に示す如く、商品販売データ処理機能の実行に伴う取引金額（Ａｔ）に応じた今回駐車可能時間Ｔ２を算出可能かつリライトカード１００に記憶されている前回駐車可能時間Ｔ１を読取可能に形成され、算出された今回駐車可能時間Ｔ２とリライトカード１００から読取った前回駐車可能時間Ｔ１とを加算して最新駐車可能時間Ｔ３を算出可能かつリライトカード１００に記憶されている前回駐車可能時間Ｔ１を最新駐車可能時間Ｔ３に書換え記憶可能に形成されている。
【００２９】
この参考例では、商品販売データ処理装置（１０）を配設した店舗（スーパーマーケット）は、自営および契約双方の駐車場があり、各駐車場には請求項５の発明に係りかつ図２に示す駐車時間管理装置８０が設けられている。
【００３０】
さらに、店舗内の本商品販売データ処理装置（１０）および駐車場内の駐車時間管理装置８０とを有し、図５に示すリライトカード１００を仲介させた請求項７の発明に係る駐車時間管理システムを構築してある。
【００３１】
図１において、商品販売データ処理装置を構成する電子キャッシュレジスタ１０は、標準入力装置（キーボード４３）を含むパソコン２０に、外部入出力装置を接続してなる。
【００３２】
パソコン２０は、マザーボードにＣＰＵ３１，ＲＯＭ３２，ＲＡＭ３３および時計回路（ＲＴＣ…リアルタイムクロック）３５を実装した構成の制御部３０に、ＨＤＤ（ハードディスク装置）４１，ＦＤＤ（フレキシブルディスク装置）４２，上記キーボード４３，入出力ポート（Ｉ／Ｏ）４６・４７および他の電子キャッシュレジスタ１０および各電子キャッシュレジスタ１０の一括管理機能を有する上位機［例えば、ストアコントローラ（図示省略）］とデータ通信回線網（ＬＡＮ）４５を介してデータ通信するための通信用インターフェイス（Ｉ／Ｆ）４４等を接続してなる。
【００３３】
入出力ポート４６にはその他の入力装置を形成するスキャナ（ＳＣＮ）７１およびカードリーダライタ（Ｒ／Ｗ）７３が接続され、入出力ポート４７にはプリンタ（ＰＮＴ）７５およびその他の出力装置（自動開放型のドロワ等）７６が接続されている。
【００３４】
また、制御部３０には、表示手段６０を構成するオペレータ用表示器（ＦＩＵ）６１および客用表示器（ＢＩＵ）６５が表示用コントローラ５０を介して接続されている。また、各コントローラ（ＣＯＮＴ）を介してオペレータ用表示器（ＦＩＵ）６１に対応するタッチパネル６２および客用表示器（ＢＩＵ）６５に対応するタッチパネル６６が接続されている。
【００３５】
ＨＤＤ（メモリ）４１には、商品ファイル４１Ｆ，売上ファイル４１Ｒ等が設けられている。各ファイルは、ＲＡＭ３３に展開されて使用される。
【００３６】
かかる電子キャッシュレジスタ１０の商品販売データ処理装置としての基本的機能は、例えば登録業務（商品登録，会計処理等）が選択されると、プログラムファイル（ＨＤＤ）から読み出されかつＲＡＭ３３に展開されたアプリケーション（登録業務遂行制御プログラム）は、データ入力手段（スキャナ７１，キーボード４３等）から入力されたデータを利用して所定の商品販売データ処理（図３のＳＴ１０でＹＥＳ，ＳＴ１１，ＳＴ１２のＹＥＳ，ＳＴ１３，ＳＴ１８）を実行する。商品販売データ処理実行結果は、表示手段６０（６１，６５）に表示され、プリンタ７５でレシートに印刷される。
【００３７】
ここに、今回駐車時間算出手段（ＣＰＵ３１，ＲＯＭ３２）は、商品販売データ処理機能の実行に伴う取引金額（バッテリーバックアップされたメモリ３３Ｍに記憶されている。）に応じた今回駐車可能時間Ｔ２を算出（ＳＴ１４）する手段である。
【００３８】
前回駐車可能時間読取手段（７３）は、リライトカード１００からこれに記憶されている前回駐車可能時間Ｔ１を読取る（ＳＴ１５）もので、カードリーダライタ（Ｒ／Ｗ）７３から形成されている。
【００３９】
最新駐車可能時間算出手段（ＣＰＵ３１，ＲＯＭ３２）は、前回駐車可能時間読取手段（７３）で読取った前回駐車可能時間Ｔ１から今回駐車時間算出手段（３１，３２）で算出された今回駐車可能時間Ｔ２を加算して、最新駐車可能時間Ｔ３（＝Ｔ１＋Ｔ２）を算出（ＳＴ１６）することができる。
【００４０】
駐車可能時間書換記憶制御手段（ＣＰＵ３１，ＲＯＭ３２）は、リライトカード１００に記憶されている前回駐車可能時間Ｔ１を最新駐車可能時間算出手段（３１，３２）で算出された最新駐車可能時間Ｔ３に書換えて記憶する（ＳＴ１７）。
【００４１】
ここに、リライトカード１００は、図５に示す如く、例えばプラスチック製の基板の表面側が感熱反応層からなる印字部とされ、第１の設定温度で文字・記号等を印字可能でありかつ第２の設定温度でそれらを消去（クリア）可能に形成されている。また、裏面側には、磁気的に書込み記憶および消去可能な記憶部が設けられている。なお、図５は、前回（乃至最新）駐車可能時間Ｔ１（Ｔ３）である７時間が目読可能に記憶（磁気的にも記憶されている。）されている場合を現わす。
【００４２】
図２において、電子キャッシュレジスタ１０を配設した店舗と関連がありかつ駐車場に配設された駐車時間管理装置８０は、入場時に取得した入場時刻を記憶して管理可能かつ記憶管理されている入場時刻から同車の退場時に取得した退場時刻までの今回駐車時間Ｔ４を算出可能であるとともに、算出された今回駐車時間Ｔ４について精算可能に形成されている。
【００４３】
この駐車時間管理装置８０は、図２，図４に示す如く、リライトカード１００からこれに記憶されている前回駐車可能時間Ｔ１を読取る前回駐車可能時間読取手段（８９）と，この前回駐車可能時間読取手段（８９）で読取った前回駐車可能時間Ｔ１から今回駐車時間算出手段（ＣＰＵ８１，ＲＯＭ８２）で算出された今回駐車時間Ｔ４を減算して残りの最新駐車可能時間Ｔ３を算出する最新駐車可能時間算出手段（ＣＰＵ８１，ＲＯＭ８２）と，リライトカード１００に記憶されている前回駐車可能時間Ｔ１を最新駐車可能時間算出手段（ＣＰＵ８１，ＲＯＭ８２）で算出された最新駐車可能時間Ｔ３に書換え記憶する最新駐車可能時間書換記憶制御手段（ＣＰＵ８１，ＲＯＭ８２）とが設けられている。
【００４４】
すなわち、駐車時間管理装置８０は、ＣＰＵ８１，ＲＯＭ８２，ＲＡＭ８３，時計回路８４，ＨＤＤ（ハードディスク装置）８５，キーボード８７，表示器８８およびカードリーダライタ８９を有し、入場ゲート９１および退場ゲート９２はゲート開閉回路９０を介して制御部（ＣＰＵ８１，ＲＯＭ８２等）が開閉制御する。
【００４５】
詳しくは、カードリーダライタ８９にリライトカード１００を挿入（図４のＳＴ３０でＹＥＳ）すると、判別手段（ＣＰＵ８１，ＲＯＭ８２）が、入場か退場かを判別（ＳＴ３１）する。
【００４６】
リライトカード１００に入場日時が記憶されていない場合には、入場と判別（ＳＴ３１のＮＯ）され、入場時刻取得手段（ＣＰＵ８１，ＲＯＭ８２，８４）が現在時刻を入場時刻として取得（ＳＴ３８）しかつリライトカード１００に記憶（ＳＴ３９）される。しかる後に、入場ゲート９１が開閉される。
【００４７】
次に、リライトカード１００に入場日時が記憶されている場合には、退場と判別（ＳＴ３１のＹＥＳ）され、退場時刻取得手段（ＣＰＵ８１，ＲＯＭ８２，８４）が現在時刻を退場時刻として取得（ＳＴ３２）する。
【００４８】
引続き、カードリーダライタ８９がリライトカード１００に記憶されている前回駐車可能時間Ｔ１および入場時刻を読み取る（ＳＴ３３）。すると、今回駐車時間算出手段（ＣＰＵ８１，ＲＯＭ８２）は、取得した退場時間と読み取った入場時間とを用いて客が実際に駐車していた今回駐車時間Ｔ４を算出（ＳＴ３４）する。
【００４９】
かくして、最新駐車可能時間算出手段（ＣＰＵ８１，ＲＯＭ８２）は、リライトカード１００から読み取られた前回駐車可能時間Ｔ１と算出された今回駐車時間Ｔ４とを用いて最新駐車可能時間Ｔ３を算出（Ｔ３＝Ｔ１−Ｔ４）する（ＳＴ３５）。
【００５０】
最後に、駐車可能時間書換記憶制御手段（ＣＰＵ８１，ＲＯＭ８２）が、リライトカード１００に記憶されている前回駐車可能時間Ｔ１を算出され最新駐車可能時間Ｔ３に書換えて記憶する（ＳＴ３６）。その後に、退場ゲート９２が開閉される（ＳＴ３７）。
【００５１】
かかる構成の第１の実施形態では、店舗内の商品販売データ処理装置（１０）において商品販売データ処理機能を実行する（図３のＳＴ１０でＹＥＳ，ＳＴ１１，ＳＴ１２のＹＥＳ）と、当該取引金額Ａｔ（例えば、５０００円）に応じた今回駐車可能時間Ｔ２（例えば、１時間）が算出（ＳＴ１３，ＳＴ１４）される。引続き、リライトカード１００からこれに記憶されている前回駐車可能時間Ｔ１（例えば、６時間）を読取られる（ＳＴ１５）。
【００５２】
そして、算出された今回駐車可能時間Ｔ２（１時間）とリライトカード１００から読取られた前回駐車可能時間Ｔ１（６時間）とを加算して最新駐車可能時間Ｔ３（７時間）を算出（ＳＴ１６）しかつリライトカード１００に記憶されている前回駐車可能時間Ｔ１（６時間）を算出された最新駐車可能時間Ｔ３（７時間）に書換え記憶する（ＳＴ１７）。その後に、会計処理（ＳＴ１８）される。
【００５３】
したがって、買い物の度にリライトカード１００に今回駐車可能時間Ｔ２（１時間）が加算記憶されかつ客は加算後の最新駐車可能時間Ｔ３（７時間）を目視確認することができる。また、駐車可能時間Ｔ２が取引ごとにリライトカード１００に加算記憶されるので、細切れ的に何回もの駐車に利用でき得る。このことは、店舗が契約駐車場からの余分な請求を受けないですむことにもなる。
【００５４】
一方、駐車場における退場の場合、前回駐車可能時間読取手段（８９）は、客から受取ったリライトカード１００からこれに記憶されている前回駐車可能時間Ｔ１（例えば、７時間）を読取る（図４のＳＴ３３）。
【００５５】
すると、最新駐車可能時間算出手段（８１，８２）が、前回駐車可能時間読取手段（８９）で読取った前回駐車可能時間Ｔ１（７時間）から今回駐車時間算出手段（８１，８２）で算出（ＳＴ３４）された今回駐車時間Ｔ４（例えば、２時間）を減算して残りの最新駐車可能時間Ｔ３（５時間）を算出（ＳＴ３５）する。
【００５６】
引続き、最新駐車可能時間書換記憶制御手段（８１，８２）が、リライトカード１００に記憶されている前回駐車可能時間Ｔ１（７時間）を最新駐車可能時間算出手段（８１，８２）で算出された最新駐車可能時間Ｔ３（５時間）に書換えて記憶する（ＳＴ３６）。その後にリライトカード１００を客に戻す。これにより、今回駐車時間Ｔ４（２時間）についての駐車料金の精算が終了する。
【００５７】
したがって、駐車場の駐車時間管理装置８０がリライトカード１００に記憶された前回駐車可能時間Ｔ１から実際の駐車料金相当駐車時間（今回駐車時間Ｔ４）を差引くように構築されているので、買い物客はリライトカード１００だけを所持するだけで駐車時間を自己管理しつつ駐車場を利用できる。駐車場側もレシートの買上金額等を短時間で判断するなどの煩雑作業を削減できる。すなわち、客はリライトカード１００から駐車前後の残りの各最新駐車可能時間Ｔ１，Ｔ３を目視確認できるから安心でありかつ客および駐車場の係員ともに取り扱いが簡単で正確な駐車時間管理および迅速な精算ができる。
【００５８】
ここにおいて、上記した店舗内の商品販売データ処理装置（電子キャッシュレジスタ１０）と駐車場内の駐車時間管理装置８０とを有する駐車時間管理システムとしては、客が商品販売データ処理装置（１０）での会計処理後にリライトカード１００に書換え記憶された最新駐車可能時間Ｔ３を目視確認可能であるとともに、駐車時間管理装置８０でリライトカード１００を利用して精算可能かつ精算後に当該リライトカード１００に書換え記憶された残りの最新駐車可能時間Ｔ３を目視確認可能である。
【００５９】
したがって、客は店舗での取引金額Ａｔに応じた今回駐車可能時間Ｔ２を取得できかつリライトカード１００に蓄えられるとともに駐車場において駐車料金の精算ができるとともに、商品販売データ処理装置（１０）を配設した店舗と駐車時間管理装置８０を配設した駐車場との一体的で密な連携がとれるから、店舗等の業績向上と客サービスが向上できる。
【００６０】
（第１の実施形態）
この第１の実施形態は、商品販売データ処理装置（電子キャッシュレジスタ１０）および駐車時間管理装置８０の基本的構成・機能が第１の参考例の場合（図１，図２，図４，図５）と同様（下記部分を除く。）とされているが、図６（第１の参考例の図３に対応する。）に示す如く商品販売データ処理装置（１０）が今回取引に関し今回サービスポイントＰ２および今回駐車可能時間Ｔ２を選択的に付与可能に形成されている。
【００６１】
すなわち、商品販売データ処理装置（電子キャッシュレジスタ１０）は、商品販売データ処理機能を実行可能でかつこの商品販売データ処理機能の実行に伴う取引金額Ａｔに応じたサービスポイント（Ｐ２）を付与可能に形成され、さらに選択的に、商品販売データ処理機能の実行に伴う取引金額に応じて付与された今回サービスポイントＰ２とリライトカード１００から読取った前回サービスポイントＰ１とを加算して最新サービスポイントＰ３を算出可能かつリライトカード１００に記憶されている前回サービスポイントＰ１を算出された最新サービスポイントＰ３に書換え可能または商品販売データ処理機能の実行に伴う取引金額Ａｔに応じて付与された今回サービスポイントＰ２をこれに応じた今回駐車可能時間Ｔ２に換算可能かつこの換算された今回駐車可能時間Ｔ２とリライトカード１００から読取った前回駐車可能時間Ｔ１とを加算して最新駐車可能時間Ｔ３を算出可能であるとともにリライトカード１００に記憶されている前回駐車可能時間Ｔ１を算出された最新駐車可能時間Ｔ３に書換え可能に形成されている。
【００６２】
かかる第１の実施形態では、店舗内の商品販売データ処理装置（１０）において、商品販売データ処理機能を実行する（図６のＳＴ１０でＹＥＳ，ＳＴ１１，ＳＴ１２のＹＥＳ）と、当該取引金額Ａｔ（例えば、５０００円）に応じた今回付与可能な今回サービスポイントＰ２（例えば、５０ポイント）が算出される（ＳＴ１３，ＳＴ１３Ａ）。ここで、客はサービスポイントおよび駐車可能時間のいずれを受けるかについて選択（ＳＴ１３Ｂ）する。
【００６３】
サービスポイントを選択した場合（ＳＴ１３ＢのＮＯ）には、リライトカード１００からこれに記憶されている前回サービスポイントＰ１（例えば、３００ポイント）が読取られ（ＳＴ１５Ａ）、算出された今回サービスポイントＰ２（５０ポイント）とリライトカード１００から読取られた前回サービスポイントＰ１（３００ポイント）とを加算して最新サービスポイントＰ３（３５０ポイント）が算出（ＳＴ１６Ａ）される。
【００６４】
そして、リライトカード１００に記憶されている前回サービスポイントＰ１（３００ポイント）を、算出された最新サービスポイントＰ３（３５０ポイント）に書換え記憶（ＳＴ１７Ａ）する。この場合の駐車可能時間Ｔ１は、元（例えば、６時間）のままである。
【００６５】
一方、駐車可能時間を選択した場合（ＳＴ１３ＢのＹＥＳ）には、今回サービスポイントＰ２（５０ポイント）がこれに応じた今回駐車可能時間Ｔ２（例えば、１時間）に換算（ＳＴ１４Ａ）されかつこの換算された今回駐車可能時間Ｔ２とリライトカード１００からＳＴ１５で読取られた前回駐車可能時間Ｔ１（例えば、６時間）とを加算して最新駐車可能時間Ｔ３（７時間）が算出（ＳＴ１６）される。
【００６６】
そして、リライトカード１００に記憶されている前回駐車可能時間Ｔ１（６時間）を算出された最新駐車可能時間Ｔ３（７時間）に書換え記憶（ＳＴ１７）される。この場合のサービスポイントＰ１は、元（例えば、３００ポイント）のままである。
【００６７】
すなわち、客は、今回取引に際して付与可能な今回サービスポイントＰ２を当該今回サービスポイントのまま、または当該今回サービスポイントを換算した今回駐車可能時間Ｔ２として選択（二者択一）できるとともに、今回駐車可能時間Ｔ２を選択すれば、前回駐車可能時間Ｔ１に算出された今回駐車可能時間Ｔ２を加算した最新駐車可能時間Ｔ３をリライトカード１００に書換え記憶できかつ目視確認することができる。
【００６８】
したがって、買い物の度にリライトカード１００に今回選択付与された駐車可能時間Ｔ２（または、サービスポイントＰ２）がそれまでの駐車可能時間Ｔ１（または、サービスポントＰ１）に加算記憶されかつ最新の駐車可能時間Ｔ３を目視確認することができるから、客の利便性を一段と向上できる。
【００６９】
また、駐車可能時間Ｔ２が取引ごとにリライトカード１００に加算記憶されるので、細切れ的に何回もの駐車に利用できる。このことは、店舗が契約駐車場からの余分な請求を受けないですむことにもなる。
【００７０】
さらに、店舗側にとってもサービス過剰（今回駐車可能時間Ｔ３および今回サービスポイントＰ３の重複付与）を回避することができるとともに、駐車可能時間Ｔ２およびサービスポイントＰ２の双方を別々に算出する必要もないので、データ処理が楽になる。
【００７１】
しかも、駐車場の駐車時間管理装置８０をリライトカード１００に記憶された前回駐車可能時間Ｔ１から実際の駐車料金相当駐車時間（今回駐車時間Ｔ４）を差引くように構築してあるので、第１の実施形態の場合と同様に、買い物客はリライトカード１００だけを所持するだけで駐車時間を自己管理しつつ駐車場を利用できる。
【００７２】
ここにおいて、上記した店舗内の商品販売データ処理装置（電子キャッシュレジスタ１０）と駐車場内の駐車時間管理装置８０とを有する駐車時間管理システムでは、客が商品販売データ処理装置（１０）での会計処理（ＳＴ１３）後にサービスポイント（Ｐ２）または駐車可能時間（Ｔ２）を選択的に取得できるとともにリライトカード１００に書換え記憶された最新駐車可能時間Ｔ３（Ｔ１）を目視確認可能で、駐車時間管理装置８０でリライトカード１００を利用して精算可能かつ精算後に当該リライトカード１００に書換え記憶された残りの最新駐車可能時間Ｔ３を目視確認可能である。
【００７３】
したがって、商品販売データ処理装置（１０）を配設した店舗と駐車時間管理装置８０を配設した駐車場との一体的で密な連携がとれる。かくして、買い物客はリライトカード１００だけを所持するだけで選択取得した駐車時間を自己管理しつつ駐車場を利用でき、かつ店舗等の業績向上と客サービスが向上できる。
【００７４】
（第２の参考例）
この第２の参考例は、商品販売データ処理装置（１０）および駐車時間管理装置８０の基本的構成・機能が第１の実施形態［第１の参考例の場合（図１，図２，図４，図５）］と同様（下記部分を除く。）とされているが、図７［第１の実施形態の図６（第１の参考例の図３）に対応する。］に示す如く商品販売データ処理装置（１０）が今回取引に関し今回サービスポイントＰ２および当該今回サービスポイントＰ２相当の今回駐車可能時間Ｔ２を付与可能かつ図８に示す如く両者を目視確認できるようにリライトカード１００に記憶可能に形成されている。
【００７５】
すなわち、商品販売データ処理機能の実行に伴う取引金額Ａｔに応じて付与された今回サービスポイントＰ２とリライトカード１００から読取った前回サービスポイントＰ１とを加算して最新サービスポイントＰ３を算出可能かつリライトカード１００に記憶されている前回サービスポイントＰ１を算出された最新サービスポイントＰ３に書換え可能に形成され、算出された最新サービスポイントＰ３をこれに応じた最新駐車可能時間Ｔ３に換算可能かつリライトカード１００に記憶されている前回駐車可能時間Ｔ１を換算された最新駐車可能時間Ｔ３に書換え可能に形成されている。
【００７６】
かかる第２の参考例では、店舗内の電子キャッシュレジスタ１０において、商品販売データ処理機能を実行（図７のＳＴ１０でＹＥＳ，ＳＴ１１，ＳＴ１２のＹＥＳ）すると、当該取引金額Ａｔ（例えば、５０００円）に応じた今回サービスポイントＰ２（例えば、５０ポイント）が算出（ＳＴ１３，ＳＴ１３Ａ）される。
【００７７】
引続き、リライトカード１００からこれに記憶されている前回サービスポイントＰ１（例えば、３００ポイント）を読取る（ＳＴ１５Ａ）。そして、算出された今回サービスポイントＰ２（５０ポイント）とリライトカード１００から読取った前回サービスポイントＰ１（３００ポイント）とを加算して最新サービスポイントＰ３（３５０ポイント）を算出（ＳＴ１６Ａ）しかつ図８に示すようにリライトカード１００に記憶されている前回サービスポイントＰ１（３００ポイント）を算出された最新サービスポイントＰ３（３５０ポイント）に書換え記憶する（ＳＴ１７Ｂ）。
【００７８】
しかも、最新サービスポイントＰ３（３５０ポイント）を算出（ＳＴ１６Ａ）した後に、算出された最新サービスポイントＰ３（３５０ポイント）がこれに応じた最新駐車可能時間Ｔ３（例えば、７時間）に換算（ＳＴ１６Ｂ）されかつリライトカード１００に記憶されている前回駐車可能時間Ｔ１（６時間）を図８に示すように換算された最新駐車可能時間Ｔ３（７時間）に書換え記憶する（ＳＴ１７Ｂ）。その後に、会計処理（ＳＴ１８）される。
【００７９】
なお、データ処理上は、算出された今回サービスポイントＰ２（５０ポイント）をこれに応じた駐車可能時間Ｔ２（１時間）に換算しかつ当該リライトカード１００に記憶されている前回駐車可能時間Ｔ１（例えば、６時間）に換算された駐車可能時間Ｔ２（１時間）を加算して最新の駐車可能時間Ｔ３（７時間）に書換え記憶可能に形成してもよい。
【００８０】
すなわち、今回取引に際して付与される今回サービスポイントＰ２を前回サービスポイントＰ１に加算した最新サービスポイントＰ３およびこの最新サービスポイントＰ３相当の最新駐車可能時間Ｔ３の双方をリライトカード１００に記憶できかつ客はその双方を目視確認することができる。
【００８１】
したがって、買い物の度にリライトカード１００に前回サービスポイントＰ１に今回付与された今回サービスポイントＰ２を加算した最新サービスポイントＰ３および前回駐車可能時間Ｔ１に今回サービスポイント相当駐車可能時間Ｔ２を加算した最新駐車可能時間Ｔ３が記憶されかつ客がこれらを目視確認できるから、客は使用に際してサービスポイントＰ３（Ｐ１）に対する特典および駐車を選択して使用することができるので、客の利便性をより一段と向上できる。
【００８２】
また、店舗側にとってもサービスポイント（駐車）として使用した場合に最新サービスポイントＰ３および最新駐車可能時間Ｔ３の双方を使用分（Ｐ４，Ｔ４）だけ差引くように運用できるから、サービス過剰（サービスポイントおよび駐車可能時間の重複付与）を回避することができる。
【００８３】
しかも、駐車場の駐車時間管理装置８０を第１（〜第３）の実施形態の場合と同様にリライトカード１００から実際の駐車料金相当駐車時間を差引くように構築してあるので、買い物客はリライトカード１００だけを所持するだけで駐車時間を自己管理しつつ駐車場を利用できる。
【００８４】
（第２の実施形態）
この第２の実施形態は、商品販売データ処理装置（１０）および駐車時間管理装置８０の基本的構成・機能が第２の参考例［第１の参考例の場合（図１，図２）、図７，図８］と同様（下記部分を除く。）とされているが、商品販売データ処理装置（１０）が図９に示す如く使用済サービスポイントＰ４をリライトカード１００のサービスポイントおよび駐車可能時間に自動的に反映（減少化）可能に形成するとともに、駐車時間管理装置８０が図１０（ＳＴ３５Ａ，ＳＴ３６Ａ）に示す如く実際駐車による今回駐車時間Ｔ４をリライトカード１００の駐車可能時間およびサービスポイントに自動的に反映（減少化）可能に形成してある。
【００８５】
すなわち、商品販売データ処理装置（１０）は、店舗内に配設されるとともに商品販売データ処理機能の実行に伴う取引金額Ａｔに応じて付与された今回サービスポイントＰ２とリライトカード１００から読取った前回サービスポイントＰ１とを加算して最新サービスポイントＰ３を算出可能かつリライトカード１００に記憶されている前回サービスポイントＰ１を算出された最新サービスポイントＰ３に書換え記憶可能に形成され、算出された最新サービスポイントＰ３をこれに応じた最新駐車可能時間Ｔ３に換算可能かつリライトカード１００に記憶されている前回駐車可能時間Ｔ１を換算された最新駐車可能時間Ｔ３に書換え可能に形成され、しかも、リライトカード１００を利用したサービスポイントに対する特典の給付処理を実行した場合に、リライトカード１００から読取った前回サービスポイントＰ１から特典給付のために使用したサービスポイントＰ４を減算して残りの最新サービスポイントＰ３を算出可能かつリライトカード１００に記憶されている前回サービスポイントＰ１を算出された残りの最新サービスポイントＰ３に書換え記憶可能に形成され、算出された残りの最新サービスポイントＰ３をこれに応じた残りの最新駐車可能時間Ｔ３に換算可能かつリライトカード１００に記憶されている前回駐車可能時間Ｔ１を換算された残りの最新駐車可能時間Ｔ３に書換え記憶可能に形成されている。
【００８６】
店舗内の商品販売データ処理装置（１０）において、リライトカード１００を利用してサービスポイントに対する特典（例えば、景品や値引）の給付処理の実行が成されると、リライトカード１００から読取った前回サービスポイントＰ１から特典給付のために使用したサービスポイントＰ４を減算して残りの最新サービスポイントＰ３が算出される（図９のＳＴ４０でＹＥＳ，ＳＴ４１，ＳＴ４２，ＳＴ４３）。
【００８７】
そして、リライトカード１００に記憶されている前回サービスポイントＰ１が算出された残りの最新サービスポイントＰ３に書換え記憶される（ＳＴ４５）。つまり、サービスポイントの今回使用の結果を反映してリライトカード１００の記憶サービスポイントの更新（Ｐ１→Ｐ３）が行われる。
【００８８】
引続き、算出された残りの最新サービスポイントＰ３をこれに応じた残りの最新駐車可能時間Ｔ３に換算（ＳＴ４４）するとともに、リライトカード１００に記憶されている前回駐車可能時間Ｔ１を換算された残りの最新駐車可能時間Ｔ３に書換え記憶する（ＳＴ４５）。つまり、記憶駐車可能時間の更新（Ｔ１→Ｔ３）が行われる。
【００８９】
したがって、商品販売データ処理装置（１０）においては第３の実施形態の場合と同様な作用効果を奏することができることに加え、さらにサービスポイントを使用するとこれを反映した残りの最新駐車可能時間と最新サービスポイントとの整合性を維持できるから、客および店舗係員双方の手間が省けかつ信頼性が一段と高まる。
【００９０】
次に、店舗内に配設された駐車時間管理装置８０は、入場時に取得した入場時刻を記憶して管理可能かつ記憶管理されている入場時刻から同車の退場時に取得した退場時刻までの今回駐車時間を算出可能であるとともに、算出された今回駐車時間に対して精算可能に形成され、リライトカード１００からこれに記憶されている前回駐車可能時間Ｔ１を読取る前回駐車可能時間読取手段（ＣＰＵ８１，ＲＯＭ８２）と，この前回駐車可能時間読取手段（８１，８２）で読取った前回駐車可能時間Ｔ１から今回駐車時間算出手段（ＣＰＵ８１，ＲＯＭ８２）で算出された今回駐車時間Ｔ４を減算して残りの最新駐車可能時間Ｔ３を算出する最新駐車可能時間算出手段（ＣＰＵ８１，ＲＯＭ８２）と，リライトカード１００に記憶されている前回駐車可能時間Ｔ１を最新駐車可能時間算出手段（８１，８２）で算出された最新駐車可能時間Ｔ３に書換える最新駐車可能時間書換手段（ＣＰＵ８１，ＲＯＭ８２）とを設け、リライトカード１００を利用して駐車をした場合に、リライトカード１００から読取った前回駐車可能時間Ｔ１から今回駐車時間Ｔ４を減算して残りの最新駐車可能時間Ｔ３を算出可能かつリライトカード１００に記憶されている前回駐車可能時間Ｔ１を算出された残りの最新駐車可能時間Ｔ３に書換え記憶可能に形成され、算出された残りの最新駐車可能時間Ｔ３をこれに応じた残りの最新サービスポイントＰ３に換算可能かつリライトカード１００に記憶されている前回サービスポイントＰ１を換算された残りの最新サービスポイントＰ３に書換え記憶可能に形成されている。
【００９１】
図１０において、リライトカードを利用して駐車をした場合（図１０のＳＴ３０でＹＥＳ，ＳＴ３１でＹＥＳ）、リライトカード１００から読取った前回駐車可能時間Ｔ１から今回駐車時間Ｔ４を減算して残りの最新駐車可能時間Ｔ３が算出される（ＳＴ３２〜ＳＴ３５）。また、リライトカード１００に記憶されている前回駐車可能時間Ｔ１を算出された残りの最新駐車可能時間Ｔ３に書換え記憶する（ＳＴ３６Ａ）。
【００９２】
そして、算出（ＳＴ３５）された残りの最新駐車可能時間Ｔ３は、当該最新駐車可能時間Ｔ３に応じた残りの最新サービスポイントＰ３に換算（ＳＴ３５Ａ）されるとともにリライトカード１００に記憶されている前回サービスポイントＰ１が換算された残りの最新サービスポイントＰ３に書換え記憶される（ＳＴ３６Ａ）。
【００９３】
したがって、駐車時間管理装置８０としては第１，第２の参考例および第１，第２の実施形態の場合と同様な作用効果を奏することができることに加え、さらに駐車で使用するとこれを反映した残りの最新駐車可能時間Ｔ３と最新サービスポイントＰ３との整合性を維持できるから、客および駐車場係員双方の手間が省けかつ信頼性が一段と高まる。
【００９４】
ここにおいて、上記した店舗内の商品販売データ処理装置（電子キャッシュレジスタ１０）と駐車場内の駐車時間管理装置８０とを有する駐車時間管理システムでは、客が商品販売データ処理装置（１０）での会計処理後にリライトカード１００に書込みされた最新サービスポイントＰ３および最新駐車可能時間Ｔ３を目視確認可能であるとともに、駐車時間管理装置８０でリライトカード１００を利用して精算可能かつ精算後に当該リライトカード１００に書込みされた残りの駐車可能時間および残りのサービスポイントを目視確認可能である。
【００９５】
かくして、商品販売データ処理装置（１０）および駐車時間管理装置８０を有する駐車時間管理システムとしては、請求項８の駐車時間管理システム（１０，８０）に比較して、店舗での買い物（取引き）で得られた利益（駐車またはサービスポイント特典）をその都度に選択使用できるので、利用性を一段と高められる。
【００９６】
【発明の効果】
請求項１の発明によれば、選択的に、商品販売データ処理機能の実行に伴う取引金額に応じて付与された今回サービスポイントとリライトカードから読取った前回サービスポイントとを加算して最新サービスポイントを算出可能かつリライトカードに記憶されている前回サービスポイントを算出された最新サービスポイントに書換え記憶可能、または商品販売データ処理機能の実行に伴う取引金額に応じて付与された今回サービスポイントをこれに応じた今回駐車可能時間に換算可能かつこの換算された今回駐車可能時間とリライトカードから読取った前回駐車可能時間とを加算して最新駐車可能時間を算出可能であるとともに当該リライトカードに記憶されている前回駐車可能時間を算出された最新駐車可能時間に書換え記憶可能、に形成された商品販売データ処理装置であるから、次の効果を奏することができる。
（１）客は今回取引に際して付与可能な今回サービスポイントを当該今回サービスポイントのまま、または当該今回サービスポイントを換算した今回駐車可能時間として選択（二者択一）できるので、利用性を一段と高められる。
（２）今回駐車可能時間を選択すれば、前回駐車可能時間に算出された今回駐車可能時間を加算した最新駐車可能時間をリライトカードに書換え記憶できかつ目視確認することができるから、買い物の度にリライトカードに今回選択付与された駐車可能時間（または、サービスポント）がそれまでの駐車可能時間（または、サービスポイント）に加算記憶されかつ最新の駐車可能時間（および、サービスポイント）を目視確認することができるから、客の利便性を一段と向上できる。
（３）駐車可能時間が取引ごとにリライトカードに加算記憶されるので、細切れ的に何回もの駐車に利用でき得る。このことは、店舗が契約駐車場からの余分な請求を受けないですむことにもなる。
（４）店舗側にとってもサービス過剰（駐車可能時間およびサービスポイントの重複付与）を回避することができるとともに、駐車可能時間およびサービスポイントの双方を別々に算出する必要もないので、データ処理が楽になる。
（５）駐車場の駐車時間管理装置をリライトカードに記憶された前回駐車可能時間から実際の駐車料金相当駐車時間を差引くように構築しておけば、買い物客はリライトカードだけを所持するだけで駐車時間を自己管理しつつ駐車場を利用でき得る。
【００９７】
また、請求項２の発明によれば、リライトカードを利用したサービスポイント特典給付処理を実行した場合に、リライトカードから読取った前回サービスポイントから特典給付のために使用したサービスポイントを減算して残りの最新サービスポイントを算出可能かつ該前回サービスポイントを算出された残りの最新サービスポイントに書換え記憶可能に形成され、算出された残りの最新サービスポイントをこれに応じた残りの最新駐車可能時間に換算可能かつリライトカードに記憶されている前回駐車可能時間を換算された残りの最新駐車可能時間に書換え記憶可能に形成されているので、請求項１の発明の場合と同様な効果を奏することができることに加え、さらにサービスポイントを使用するとこれを反映した残りの最新サービスポイントと最新駐車可能時間との整合性を維持できるから、客および店舗係員双方の手間が省けかつ信頼性が一段と高まる。
【図面の簡単な説明】
【図１】  本発明の第１の参考例に係る商品販売データ処理装置を説明するためのブロック図である。
【図２】  同じく、駐車時間管理装置を説明するためのブロック図である。
【図３】  同じく、商品販売データ処理装置側の動作を説明するためのフローチャートである。
【図４】  同じく、駐車時間管理装置側の動作を説明するためのフローチャートである。
【図５】  同じく、駐車可能時間のリライトカードへの目視可能記憶態様例を説明するための図である。
【図６】  本発明の第１の実施形態に係る商品販売データ処理装置側の動作を説明するためのフローチャートである。
【図７】  本発明の第２の参考例に係る商品販売データ処理装置側の動作を説明するためのフローチャートである。
【図８】  同じく、サービスポイントおよび駐車可能時間のリライトカードへの目視可能記憶態様例を説明するための図である。
【図９】  同じく、本発明の第２の実施形態に係る商品販売データ処理装置側の動作を説明するためのフローチャートである。
【図１０】  同じく、駐車時間管理装置側の動作を説明するためのフローチャートである。
【符号の説明】
１０  電子キャッシュレジスタ（商品販売データ処理装置、駐車時間管理システム）
２０  パソコン
３０  制御部
３５  時計回路
６０  表示手段
７３  カードリーダライタ（前回駐車可能時間読取手段）
８０  駐車時間管理装置（駐車時間管理システム）
８１  ＣＰＵ（最新駐車可能時間算出手段，今回駐車時間算出手段）
８２  ＲＯＭ（最新駐車可能時間算出手段，今回駐車時間算出手段）
８３  ＲＡＭ
８９  カードリーダライタ（前回駐車可能時間読取手段，最新駐車可能時間書換手段）
１００  リライトカード
Ａｔ  合計金額（取引金額）
Ｐ１  前回サービスポイント
Ｐ２  今回サービスポイント
Ｐ３  最新サービスポイント
Ｐ４  使用済サービスポイント
Ｔ１  前回駐車可能時間
Ｔ２  今回駐車可能時間
Ｔ３  最新駐車可能時間
Ｔ４  今回駐車時間
【図１】
0003928088.tif 000002
【図２】
0003928088.tif 000003
【図３】
0003928088.tif 000004
【図４】
0003928088.tif 000005
【図５】
0003928088.tif 000006
【図６】
0003928088.tif 000007
【図７】
0003928088.tif 000008
【図８】
0003928088.tif 000009
【図９】
0003928088.tif 000010
【図１０】
0003928088.tif 000011